(57)【要約】【課題】運転者の安全を損なうことなく、状況に応じた情報を運転者に伝達する情報伝達装置を提供する。【解決手段】車両の運転者に情報を伝達する情報伝達装置１０であって、複数段階に分けられた重要度のうち１つの段階が付加された重要度付き情報を受信する情報バッファ４０と、複数段階に分けられた運転者の運転余裕度のうち１つの段階を取得するドライバ状況取得部２０と、情報バッファ４０により受信される重要度付き情報を、運転者に伝達する表示部５１及び音声出力部５２と、表示部５１及び音声出力部５２により運転者に伝達される重要度付き情報を、ドライバ状況取得部２０により取得された運転余裕度の段階及び重要度付き情報に付加された重要度の段階に応じて制限する情報制御部５０と、を備える。【選択図】      図１
2014109948.tif 000002
【特許請求の範囲】
【請求項１】
車両の運転者に情報を伝達する情報伝達装置（１０）であって、
複数段階に分けられた重要度のうち１つの段階が付加された重要度付き情報を受信する受信手段（４０）と、
複数段階に分けられた前記運転者の運転余裕度のうち１つの段階を取得する取得手段（２０）と、
前記受信手段により受信される前記重要度付き情報を、前記運転者に伝達する伝達手段（５１，５２）と、
前記伝達手段により前記運転者に伝達される前記重要度付き情報を、前記取得手段により取得される前記運転余裕度の段階及び前記重要度付き情報に付加された前記重要度の段階に応じて制限する制限手段（５０）と、
を備えることを特徴とする情報伝達装置。
【請求項２】
前記制限手段は、前記伝達手段により前記運転者に伝達される前記重要度付き情報を、前記取得手段により取得される前記運転余裕度の段階が小さいほど、前記付加された前記重要度の段階が高い重要度付き情報に制限する請求項１に記載の情報伝達装置。
【請求項３】
前記伝達手段は、前記制限手段により制限された前記重要度付き情報のうち、付加された前記重要度の段階が高いものから伝達する請求項１又は２に記載の情報伝達装置。
【請求項４】
前記重要度付き情報は、前記運転者の安全に対する影響が大きいほど、前記付加された前記重要度の段階が高い請求項１〜３のいずれかに記載の情報伝達装置。
【請求項５】
最も高い段階の前記重要度が付加された前記重要度付き情報は、緊急災害情報に対応しており、
前記制限手段は、前記運転余裕度の段階が最も小さい場合に、前記伝達手段により前記運転者に伝達される前記重要度付き情報を、前記緊急災害情報に対応する前記重要度付き情報に限定する請求項１〜４のいずれかに記載の情報伝達装置。
【請求項６】
前記重要度付き情報は、前記重要度の段階が高い順に、前記緊急災害情報、前記車両の走行に必須の情報、前記車両の走行の快適性に影響を及ぼす情報に対応している請求項５に記載の情報伝達装置。
【請求項７】
前記運転余裕度の段階は、前記車両の駐車中に最も大きくなり、
前記制限手段は、前記車両が駐車中でないことを条件として、前記伝達手段により前記運転者に伝達される前記重要度付き情報を制限する請求項１〜６のいずれかに記載の情報伝達装置。
【請求項８】
前記情報伝達装置は、前記重要度付き情報を作成する作成手段（３０）を備え、
前記受信手段は、前記作成手段により作成された前記重要度付き情報を受信する請求項１〜７のいずれかに記載の情報伝達装置。
【請求項９】
車両の運転者に情報を伝達する情報伝達システムであって、
複数段階に分けられた重要度のうち１つの段階が付加された重要度付き情報を送信する送信手段（３０，７１）と、
前記送信手段により送信される前記重要度付き情報を受信する受信手段（４０）と、
複数段階に分けられた前記運転者の運転余裕度のうち１つの段階を取得する取得手段（２０）と、
前記受信手段により受信される前記重要度付き情報を、前記運転者に伝達する伝達手段（５１，５２）と、
前記伝達手段により前記運転者に伝達される前記重要度付き情報を、前記取得手段により取得される前記運転余裕度の段階及び前記重要度付き情報に付加された前記重要度の段階に応じて制限する制限手段（５０）と、
を備えることを特徴とする情報伝達システム。
【請求項１０】
前記制限手段は、前記伝達手段により前記運転者に伝達される前記重要度付き情報を、前記取得手段により取得される前記運転余裕度の段階が小さいほど、前記付加された前記重要度の段階が高い重要度付き情報に制限する請求項９に記載の情報伝達システム。
【発明の詳細な説明】
【技術分野】
【０００１】
本発明は、車両の運転者へ情報を伝達する情報伝達装置、及び情報伝達システムに関する。
【背景技術】
【０００２】
近年、停車中に限定して運転者が膨大な情報にアクセスできるようにすることが考えられているが、停止中にのみ限定しているため利便性が損なわれる。そこで、運転者が望む情報を推定して取得し、取得した情報を運転者に提供する情報提供システムが存在する。
【０００３】
例えば、特許文献１では、ハンドル角度やスロットル角度等の運転挙動情報と位置情報を用いて、運転者の運転挙動のカテゴリ分類（スピード狂、市街地／山岳／海岸運転傾向等）を行っている。そして、運転挙動カテゴリと、車上センサや路側センサ等から得られる周辺環境情報と、運転者の情報アクセス履歴から算出した情報アクセス嗜好との関係を求めている。求めた関係から運転者の現在の情報嗜好を推定し、推定した現在の情報嗜好に応じて適切な情報を情報サービスセンタから取得して、取得した情報を運転者に提供している。さらに、運転者の運転挙動履歴、周辺環境履歴の情報を用いて近未来の危険度を算出し、算出した危険度に応じて、取得した情報を提供する際のメディア及びタイミングを決定している。
【先行技術文献】
【特許文献】
【０００４】
【特許文献１】特開２００１−１８８９９２号公報
【発明の概要】
【発明が解決しようとする課題】
【０００５】
特許文献１では、運転者の現在の情報嗜好に応じて適切な情報を取得して、運転挙動履歴や周辺環境履歴に応じて情報を提供するタイミングを決定している。しかしながら、車両の運行に必須な情報が、遅れて提供されたり提供されなかったりする虞があった。
【０００６】
本発明は、上記実情を鑑み、状況に応じた情報を運転者に伝達することを主たる目的とする。
【課題を解決するための手段】
【０００７】
請求項１に記載の発明は、車両の運転者に情報を伝達する情報伝達装置であって、複数段階に分けられた重要度のうち１つの段階が付加された重要度付き情報を受信する受信手段と、複数段階に分けられた前記運転者の運転余裕度のうち１つの段階を取得する取得手段と、前記受信手段により受信される前記重要度付き情報を、前記運転者に伝達する伝達手段と、前記伝達手段により前記運転者に伝達される前記重要度付き情報を、前記取得手段により取得される前記運転余裕度の段階及び前記重要度付き情報に付加された前記重要度の段階に応じて制限する制限手段と、を備える。
【０００８】
請求項１に記載の発明によれば、複数段階に分けられた重要度のうちの１つの段階が付加された重要度付き情報が受信されるとともに、複数段階に分けられた運転者の運転余裕度のうち１つの段階が取得される。そして、取得された運転者の運転余裕度の段階及び受信された重要度の段階に応じて、制限された重要度付き情報が運転者に伝達される。
【０００９】
よって、受信した重要度付き情報のうち、運転者の運転余裕度の段階及び重要度の段階に応じて制限された重要度付き情報を、運転者へ伝達することができる。したがって、運転者の安全を損なうことなく、状況に応じた情報を運転者に伝達することができる。
【００１０】
請求項９に記載の発明は、車両の運転者に情報を伝達する情報伝達システムであって、複数段階に分けられた重要度のうち１つの段階が付加された重要度付き情報を送信する送信手段と、前記送信手段により送信される前記重要度付き情報を受信する受信手段と、複数段階に分けられた前記運転者の運転余裕度のうち１つの段階を取得する取得手段と、前記受信手段により受信される前記重要度付き情報を、前記運転者に伝達する伝達手段と、前記伝達手段により前記運転者に伝達される前記重要度付き情報を、前記取得手段により取得される前記運転余裕度の段階及び前記重要度付き情報に付加された前記重要度の段階に応じて制限する制限手段と、を備える。
【００１１】
請求項９に記載の発明によれば、複数段階に分けられた重要度のうちの１つの段階が付加された重要度付き情報が送信され、送信された重要度付き情報が受信される。また、複数段階に分けられた運転者の運転余裕度のうち１つの段階が取得される。そして、取得された運転者の運転余裕度の段階及び受信された重要度の段階に応じて、制限された重要度付き情報が運転者に伝達される。よって、請求項１と同様の効果を奏する。
【図面の簡単な説明】
【００１２】
【図１】一実施形態に係る情報伝達システムの構成図。
【図２】運転者の運転余裕度の段階と対応する運転状況を示す表。
【図３】重要度の段階と対応する重要度付き情報を示す表。
【図４】運転余裕度の段階と重要度の段階に基づいて重要度付き情報に優先度を設定した表。
【図５】運転者に重要度付き情報を伝達する処理手順を示すフローチャート。
【図６】運転者に伝達する重要度付き情報を選択する処理手順を示すサブルーチン。
【発明を実施するための形態】
【００１３】
以下、車両に適用した情報伝達システムを具現化した一実施形態について、図面を参照しつつ説明する。
【００１４】
図１に示すように、本実施形態に係る情報伝達システムは、車両に搭載された情報伝達装置１０と、情報伝達装置１０と無線通信が可能な情報センタ７０とから構成される。車両は、車外カメラ２１、車内カメラ２２、操作センサ２３、及び位置検出装置２４等を備えている。
【００１５】
情報伝達装置１０は、ＣＰＵと、ＲＯＭ及びＲＡＭと、Ｉ／Ｏ等から構成され、ドライバ状況取得部２０（取得手段）、情報作成部３０（作成手段、送信手段）、情報バッファ４０（受信手段）、情報制御部５０（制限手段）を備えるコンピュータ等により構成されている。ＣＰＵが、ＲＯＭに記憶されている各種コンピュータプログラムを実行することにより、ドライバ状況取得部２０、情報作成部３０、情報制御部５０の各機能が実現される。また、情報伝達装置１０は、表示部５１（伝達手段）及び音声出力部５２（伝達手段）を備えている。
【００１６】
ドライバ状況取得部２０は、車外カメラ２１、車内カメラ２２、操作センサ２３、及び位置検出装置２４等が検出した検出値を取得し、運転者の状況を取得する。具体的には、各種検出値に基づいて運転状況が交差点の右折中や信号待ちであることを認識し、運転状況に応じて複数段階に分けられた運転者の運転余裕度のうちの１つの段階を取得する。取得する運転者の運転余裕度については、後で詳述する。
【００１７】
車外カメラ２１は、車線や信号機、歩行者等の車両周辺の状況を検知する。車内カメラ２２は、車室内の運転者の状況や、同乗者の有無等を検知する。操作センサ２３は、操舵角センサ、ブレーキセンサ、アクセルセンサ等の各種センサであり、操舵角、ブレーキ操作の有無、アクセル操作量等の車両の操作情報を検出する。位置検出装置２４は、ＧＰＳ受信機、ジャイロセンサ、車速センサ等から構成され、車両の現在位置を検出する。
【００１８】
情報作成部３０は、車外カメラ２１、車内カメラ２２、操作センサ２３、及び位置検出装置２４等が検出した検出値や、現在時刻、目的地等の情報に基づき、重要度付き情報を作成し、情報バッファ４０へ送信する。重要度付き情報は、運転者に伝達される情報であり、複数段階に分けられた重要度のうちの１つの段階が付加されている。重要度付き情報については、後で詳述する。
【００１９】
情報バッファ４０は、情報作成部３０及び後述する情報センタ７０の少なくとも一方により作成された重要度付き情報を受信し、一時的に記憶しておく記憶装置又は記憶領域である。
【００２０】
情報制御部５０は、表示部５１及び音声出力部５２により運転者に伝達される重要度付き情報を、運転余裕度の段階及び重要度付き情報に付加された重要度の段階に応じて制限する。さらに、情報制御部５０は、運転者に伝達する重要度付き情報に対して、運転者に伝達する順番を設定する。
【００２１】
表示部５１は、液晶ディスプレイ、有機ＥＬディスプレイ等を用いて構成されている。表示部５１は、車室内において運転者が視認可能な位置に設置され、情報制御部５０から出力される重要度付き情報を表示する。音声出力部５２は、スピーカから構成され、情報制御部５０から出力される重要度付き情報を音声メッセージとして出力する。
【００２２】
情報伝達装置１０は、カーナビゲーション装置と一体化されていてもよいし、車両に搭載された専用の装置であってもよい。表示部５１は、カーナビゲーション装置のディスプレイであってもよいし、メータ等のディスプレイであってもよい。
【００２３】
情報センタ７０は、情報伝達装置１０に設けられた通信装置１１と情報センタ７０に設けられた通信装置７１を介して、車外カメラ２１、車内カメラ２２、操作センサ２３、及び位置検出装置２４等が検出した検出値や、目的地等の情報を受信する。さらに、情報センタ７０は、通信装置７１を介してインターネットから情報を収集する。情報センタ７０は、取得した情報に基づいて重要度付き情報を作成し、作成した重要度付き情報を、通信装置１１，７１（送信手段）を介して、情報バッファ４０へ送信する。なお、情報センタ７０は特定の情報センタに限らず、通信装置１１，７１を介して情報伝達装置１０と通信できる情報センタであればよい。
【００２４】
次に、ドライバ状況取得部２０により取得される運転者の運転余裕度について説明する。図２は、ドライバ状況取得部２０により取得される運転者の運転余裕度の段階と、運転余裕度の各段階に対応する運転状況の一例を示す表である。ここでは、運転者の運転余裕度は５段階に分けられている。５段階の運転余裕度に対応する運転状況は、運転余裕度の段階が小さい順に、負荷大の運転中、負荷中の運転中、負荷小の運転中、停車中、駐車中となっている。
【００２５】
運転余裕度の段階が最も小さい負荷大の運転中の例として、交差点の右折中や左折中、車線変更中が挙げられる。運転余裕度の段階が２番目に小さい負荷中の運転中の例として、一般道路走行中が挙げられる。運転余裕度の段階が３番目に小さい負荷小の運転中の例として、高速道路等の自動車専用道路の巡航中が挙げられる。運転余裕度の段階が２番目に大きい停車中の例として、信号待ちが挙げられる。また、運転余裕度の段階が最も大きい駐車中は、車両を静止させて運転していない状態である。運転余裕度の段階が小さいほど、運転者が伝達された情報に注意を向けることにより、運転者の安全を損ねる可能性が高くなる。よって、運転余裕度の段階が小さいほど、運転者に伝達する情報を制限する必要がある。
【００２６】
ドライバ状況取得部２０は、各種検出値に基づいて運転状況を認識し、認識した運転状況を、負荷大の運転中、負荷中の運転中、負荷小の運転中、停車中、駐車中の５つの運転状況に分類する。そして、５段階の運転余裕度うち、分類した運転状況に対応する１つの段階を取得する。
【００２７】
次に、情報作成部３０及び情報センタ７０により作成される重要度付き情報について説明する。図３は、重要度の段階と重要度の各段階に対応する重要度付き情報の一例を示す表である。ここでは、重要度は６段階に分けられている。６段階の重要度に対応する重要度付き情報の種類は、重要度の段階が高い順に、緊急災害情報、車両の走行に必須の情報、車両の走行の快適性に影響を及ぼす情報、運転者の行動の参考になる情報、一般的な情報、その他の情報となっている。すなわち、運転者の安全に対する影響が大きい重要度付き情報ほど、高い段階の重要度が付加されている。
【００２８】
重要度の段階が最も高い緊急災害情報に対応する情報は、例えば、緊急地震速報や津波速報である。すなわち、運転者の運転余裕度がどの段階であっても、運転者に伝達しないことにより却って運転者の安全を損なうおそれがある情報である。重要度の段階が２番目に高い車両の走行に必須の情報に対応する情報は、例えば、高速道路に入る前にガソリンが少ない場合の給油提案情報である。すなわち、運転者に伝達されないことにより車両の運転に支障をきたすおそれがある情報である。重要度の段階が３番目に高い車両の走行の快適性に影響を及ぼす情報に対応する情報は、例えば、渋滞情報や長時間連続運転中における休憩場所の提案情報である。すなわち、運転者に伝達されることにより、車両の走行の快適性を高める情報である。
【００２９】
重要度の段階が３番目に低い運転者の行動の参考になる情報に対応する情報は、例えば、初めての土地での食事場所の提案情報である。重要度の段階が２番目に低い一般情報に対応する重要度付き情報は、例えば、車両の運転を考慮していない一般的な提案情報である。すなわち、運転者の運転余裕度が大きい場合に限って運転者に提供すれば問題ない情報である。重要度の段階が最も低いその他の情報に含まれる情報は、上記５つの情報種類に含まれる情報以外の情報である。なお、重要度の付加されていない情報は、重要度の段階が最も低いその他の情報に分類されている。
【００３０】
情報作成部３０及び情報センタ７０は、作成した重要度付き情報を、緊急災害情報、車両の走行に必須の情報、車両の走行の快適性に影響を及ぼす情報、運転者の行動の参考になる情報、一般的な情報、及びその他の情報の６種類に分類する。そして、情報作成部３０及び情報センタ７０は、分類された重要度付き情報に、上記６つの情報種類のうちの１つ、すなわち６段階に分けられた重要度のうちの１つの段階を付加して、情報バッファ４０に送信する。
【００３１】
図４は、情報制御部５０により、運転者の運転余裕度の段階及び重要度付き情報に付加される重要度の段階に基づいて、情報バッファ４０に格納されている重要度付き情報に、伝達の優先度及び伝達の不可を設定した表である。運転者に伝達できる重要度付き情報には、早く伝達されるものほど高い優先度（小さい数字）が設定されている。そして、運転者に伝達できない重要度付き情報には、優先度は設定されていない（表では×印を記入している）。なお、情報バッファ４０には、緊急災害情報、車両の走行に必須な情報、車両の走行の快適性に影響を及ぼす情報、行動の参考になる情報、一般情報、及びその他の情報のそれぞれに属する重要度付き情報が格納されている。
【００３２】
運転余裕度の段階が最小の運転状況では、運転者に伝達される重要度付き情報は、重要度の段階が最高の緊急災害情報に対応する重要度付き情報に限定されている。よって、運転余裕度の段階が最小の場合でも、運転者に伝達しないことにより却って運転者の安全を損なうおそれがある情報に限って、運転者に伝達される。
【００３３】
運転余裕度の段階が２番目に小さい運転状況では、運転者に伝達される重要度付き情報は、重要度の段階が最高の緊急災害情報、及び２番目に高い車両の走行に必須な情報に対応する重要度付き情報に制限されている。そして、重要度の段階が高いものから順に、高い優先度が設定されている。よって、制限された重要度付き情報のうち、付加された重要度の段階が高いものから運転者に伝達される。
【００３４】
そして、運転余裕度の段階が大きくなるにつれ、運転者に伝達される重要度付き情報は、重要度の段階が低いものにまで対応している。運転余裕度の段階が最大となる駐車中では、付加された重要度の段階に関わらず、全ての重要度付き情報に優先度が設定されている。すなわち、運転者に伝達される重要度付き情報は、車両が駐車中でないことを条件として制限され、且つ運転余裕度の段階が小さいほど、付加された重要度の段階が高い重要度付き情報に制限される。
【００３５】
ここで、情報バッファ４０に、ある優先度の重要度付き情報が格納されていない場合は、次に優先度の高い重要度付き情報から順に運転者に伝達される。例えば、緊急災害情報に属する重要度付き情報が格納されていない場合、運転余裕度の段階が最小の運転状況では、運転者に伝達される重要度付き情報はなしになる。運転余裕度の段階が２番目に小さい運転状況から最大の運転状況では、緊急災害情報の次に優先度の高い、車両の走行に必須な情報に属する重要度付き情報から順に運転者に伝達される。
【００３６】
次に、図５のフローチャートを参照して、運転者に重要度付き情報を伝達する処理手順について説明する。本フローチャートの処理は、情報制御部５０が実行する。
【００３７】
まず、Ｓ１０では、運転者の運転余裕度の段階、及び重要度付き情報に付加された重要度の段階に基づいて、運転者に伝達する重要度付き情報を選択する。運転者に伝達できる情報がない場合は、重要度付き情報を選択しない。重要度付き情報を選択する処理の詳しい説明は後述する。
【００３８】
続いて、Ｓ１１では、Ｓ１０において、選択された重要度付き情報があるか否かを判定する。Ｓ１０において、重要度付き情報が選択されていない場合には、Ｓ１０の処理に戻る。一方、Ｓ１０において、重要度付き情報が選択されている場合には、Ｓ１２の処理に進む。
【００３９】
Ｓ１２では、表示部５１及び音声出力部５２の少なくとも一方により、Ｓ１０において選択された重要度付き情報を運転者に伝達させる。その後、Ｓ１０の処理に戻り、Ｓ１０〜Ｓ１２の処理を、所定間隔で繰り返し実行する。なお、重要度付き情報を運転者に伝達させた後、情報伝達装置１０と運転者との対話を開始する。
【００４０】
次に、図６のサブルーチンを参照して、Ｓ１０における処理を詳しく説明する。本サブルーチンの処理は、情報制御部５０が実行する。
【００４１】
まず、Ｓ１０１では、ドライバ状況取得部２０が取得した運転余裕度を、ドライバ状況取得部２０から取得する。
【００４２】
続いて、Ｓ１０２では、運転余裕度の段階と重要度の段階に基づいて重要度付き情報に優先度を予め設定した表（図４参照）を参照する。そして、情報バッファ４０から、Ｓ１０１で取得した運転余裕度に対して、優先度が設定されている重要度付き情報を読み出す。例えば、３番目に小さい運転余裕度に対応する高速道路の走行中では、優先度１、２、３が設定されている緊急災害情報、車両の走行に必須な情報、車両の走行の快適性に影響を及ぼす情報に対応する重要度付き情報を読み出す。
【００４３】
続いて、Ｓ１０３では、優先度が設定された重要度付き情報のうち、最も高い優先度の重要度付き情報を選択する。例えば、高速道路の走行中では、優先度１の緊急災害情報に対応する重要度付き情報を選択する。情報バッファ４０内に、緊急災害情報に対応する重要度付き情報が複数ある場合は、そのうちの１つを選択する。また、情報バッファ４０内に、緊急災害情報に対応する重要度付き情報が存在しない場合は、次に優先度が高い車両の走行に必須な情報に対応する重要度付き情報を選択する。情報バッファ４０内に、緊急災害情報、車両の走行に必須な情報、車両の走行の快適性に影響を及ぼす情報に対応する重要度付き情報が存在しない場合は、重要度付き情報を選択しない。
【００４４】
重要度付き情報を選択した場合は、選択した重要度付き情報を、情報バッファ４０から消去する。これにより、次に運転者に伝達する重要度付き情報を選択する際に、運転者に伝達していない重要度付き情報の中から、運転者に伝達する重要度付き情報を選択できる。本処理の後、Ｓ１１の処理に進む。
【００４５】
本実施形態によれば、以下の効果を奏する。
【００４６】
・情報バッファ４０に格納された重要度付き情報のうち、運転者の運転余裕度の段階及び重要度の段階に応じて制限された重要度付き情報を、運転者へ伝達することができる。したがって、運転者の安全を損なうことなく、状況に応じた情報を運転者に伝達することができる。
【００４７】
・運転者の運転余裕度の段階が小さい場合には、情報伝達により運転者の注意を引くことを抑制しつつ、重要度の段階が高い重要度付き情報を運転手に伝達することができる。
【００４８】
・制限された重要度付き情報のうち重要度の段階が高いものから運転者に伝達することにより、重要度の段階が高い重要度付き情報を確実に運転者に伝達することができる。
【００４９】
・運転者の安全に対する影響が大きい重要度付き情報ほど、運転者の運転余裕度の段階が小さい場合でも運転者に伝達することができる。
【００５０】
・運転者の運転余裕度の段階が最小の場合でも、運転者に伝達しないことにより却って運転者の安全を損なうおそれがある情報を、運転者へ伝達することができる。
【００５１】
・運転者の運転余裕度の段階が最大となる駐車中では、重要度の段階に関わらず、情報バッファ４０に格納されたすべての重要度付き情報を運転者へ伝達することができる。
【００５２】
・情報センタ７０が作成した重要度付き情報だけでなく、情報伝達装置１０が作成した重要度付き情報を運転者に伝達することができる。
【００５３】
上記実施形態は、以下のように変更して実施してもよい。
【００５４】
・重要度付き情報に付加された重要度の段階が高い場合は、音声出力部５２のみにより、運転者に重要度付き情報を伝達するようにしてもよい。さらに、重要度付き情報に付加された重要度の段階が低い場合は、表示部５１のみ、又は表示部５１と音声出力部により、運転者に重要度付き情報を伝達するようにしてもよい。
【００５５】
・運転余裕度の段階及び重要度の段階は、上記実施形態に限らず任意の数に分ければよい。
【００５６】
・Ｓ１０２において、予め設定した優先度を用いず、Ｓ１０２の都度優先度を設定してもよい。Ｓ１０１で取得した運転余裕度の段階が、前回Ｓ１０２の処理を実行した時の運転余裕度の段階と異なる場合には、情報バッファ４０に格納されている重要度付き情報に対して、重要度の段階が高いものから順に優先度を設定する。
【００５７】
また、Ｓ１０１で取得した運転余裕度の段階が、前回Ｓ１０２の処理を実行した時の運転余裕度の段階と同じ場合には、前回のＳ１０２の処理時に設定した優先度を利用する。具体的には、今回Ｓ１０２の処理を実行する際に、前回優先度１を設定した重要度付き情報が情報バッファ４０に残っている場合は、前回設定した優先度をそのまま今回設定した優先度とする。
【００５８】
一方、今回Ｓ１０２の処理を実行する際に、前回優先度１を設定した重要度付き情報が情報バッファ４０に残っていない場合は、前回設定した優先度の段階を１つ上げる。例えば、前回のＳ１０２の処理時に、緊急災害情報、車両の走行に必須な情報、車両の走行の快適性に影響を及ぼす情報に対応する重要度付き情報に、それぞれ１、２、３の優先度を設定している場合は、車両の走行に必須な情報、及び車両の走行の快適性に影響を及ぼす情報に対応する重要度付き情報に設定されている優先度を、それぞれ１、２に上げる。
【００５９】
続いて、Ｓ１０３では、Ｓ１０２において優先度が設定された重要度付き情報のうち、優先度１が設定された重要度付き情報を選択する。優先度１が設定された重要度付き情報が複数ある場合には、そのうちの１つを選択する。
【符号の説明】
【００６０】
１０…情報伝達装置、２０…ドライバ状況取得部、３０…情報作成部、４０…情報バッファ、５０…情報制御部、５１…表示部、５２…音声出力部、７０…情報センタ。
【図１】
2014109948.tif 000003
【図２】
2014109948.tif 000004
【図３】
2014109948.tif 000005
【図４】
2014109948.tif 000006
【図５】
2014109948.tif 000007
【図６】
2014109948.tif 000008